(57)【要約】【課題】蔓植物によって、容易、かつ、確実に、短期間で、塀、壁、擁壁等の構造物の表面を覆ったり、棒や管等の長尺体の表面を覆ったり、生け垣の上などにある空間を塞ぐように遮蔽して、面状に緑化をすることのできる面状案内体を提供する。【解決手段】蔓植物Ｂの面状案内体Ａであって、蔓植物Ｂを面状に案内する網状体Ａａを備えており、かつ、この網状体Ａａが、網目寸法を１０ｃｍ〜３０ｃｍに構成してある。【選択図】図４
2008211983.tif 000002
【特許請求の範囲】
【請求項１】
蔓植物を面状に案内する網状体を備えており、かつ、この網状体が、網目寸法を１０ｃｍ〜３０ｃｍとしてあることを特徴とする蔓植物の面状案内体。
【請求項２】
網状体が、直径が３ｍｍ以下の線材よりなることを特徴とする請求項１に記載の蔓植物の面状案内体。
【請求項３】
前記網状体を、塀、壁、擁壁等の構造物の側面に沿って、当該構造物の側面との間に、少なくとも、蔓植物の通過隙間を備えるように設けてあることを特徴とする請求項１又は請求項２に記載の蔓植物の面状案内体。
【請求項４】
前記網状体を、生け垣の上方に、当該生け垣に連続するように設けてあることを特徴とする請求項１又は請求項２に記載の蔓植物の面状案内体。
【請求項５】
前記網状体を、棒、管等の起立長尺体を囲繞するように設けてあることを特徴とする請求項１又は請求項２に記載の蔓植物の面状案内体。
【発明の詳細な説明】
【技術分野】
【０００１】
この発明は、蔓植物を用いて塀、外壁、擁壁等の構造物の側面を覆うようになし、各種の起立長尺体を覆うようになし、また、生け垣上の空間等の屋外空間を面状に塞ぐようにして、屋外景観を整えたり、目隠し手段を構成するのに都合の良い蔓植物の面状案内体の提供に関する。
【背景技術】
【０００２】
ブロック塀その他の塀や門柱、境界壁、擁壁の側面や、建物における外壁面を覆うように蔓植物を植栽することが試みられている。
【０００３】
また、屋外空間の空間的な仕切り目的や、目隠し目的等から、屋外空間を蔓植物を用いて面状に仕切ることが試みられている。
【０００４】
植物を固定又は支持するための支持部材が二次元的に展開されており、畳まれ又は巻かれた状態で輸送される植栽ネットであって、前記支持部材の少なくとも一部に、前記支持部材の所定方向への折れ曲がりを防止するための折れ曲がり防止部材が設けられている植栽ネットが、容易に輸送でき、しかも、壁面等に着脱し得るものとして提案されている（例えば、特許文献１）。
【０００５】
また、複数枚の網状板と、網状板同士を上下左右のうち少なくとも上下に連結する連結具と、上側に配置された網状板の上端部を建物屋外の笠木状箇所に固定
する固定具とを備えた壁面緑化板キツトが、適宜、組み付け用い得る壁面緑化板キットとして提案されている（例えば、特許文献２）。
【０００６】
また、線材を屈曲させた形状をした多数のフープ材と、該フープ材を一定間隔を隔てて同軸心配置にそれぞれ同じ向きにて連結した線材状の連結材とからなり、前記各フープ材はそれぞれ壁面に沿わせる直線状基部と、該直線状基部の両端から壁面前方側に突出する外側膨み部と、前記直線状基部の中央位置に前記壁面前方側に突出する内側膨み部とからなり、前記外側膨み部に、該膨み部の一部を欠落させた開放部を備えて構成した壁面用蔓類絡み付き支持具が提案されている（例えば、特許文献３）。
【０００７】
また、建物の屋根、壁面、フェンス、門、又は扉等の鉛直面やまたは傾斜面に行う壁面緑化での植栽物を支持するために使用される植生ネットであって、該ネットが繊維の束を撚り合せてなる撚糸から構成され、該撚糸に肥料を含着させた構成の植生基材ネットが提案されている（例えば、特許文献４）。
【０００８】
【特許文献１】特開２００３−３３９２４８公開特許公報
【特許文献２】特開２００２−１０１７６４公開特許公報
【特許文献３】第２５６３３３８号実用新案登録公報
【特許文献４】特開２００４−２８３０７５公開特許公報
【発明の開示】
【発明が解決しようとする課題】
【０００９】
塀、壁、擁壁等における構造物面を比較的短期間で緑化する手段として、蔓植物の植裁が試みられているものの、植裁された蔓植物を面状に都合よく案内する工夫がなく、植裁された蔓植物によって、対象とされる構造物面を満遍なく覆うことが難しかった。
【００１０】
また、雨樋における竪樋、排水管、構造物の外回りに備えられる各種支柱やポール等の周面の緑化は難しく、多くの場合、そのまま露出状態で用いられていた。
【００１１】
また、生け垣の上方空間等の空間部分に目隠し的な緑化面を構成することはできなかった。
【００１２】
この発明は、蔓植物によって、容易、かつ、確実に、短期間で、塀、壁、擁壁等の構造物の表面、棒や管等の長尺体の表面を覆ったり、生け垣上等にある空間を塞ぐように、面状に緑化をすることのできる面状案内体を提供するものである。
【課題を解決するための手段】
【００１３】
この発明は、前記課題を解決するために、蔓植物を面状に案内する網状体を備えており、かつ、この網状体が、網目寸法を１０ｃｍ〜３０ｃｍとしてあることを特徴とする蔓植物の面状案内体としてある。
【００１４】
このように構成される面状案内体は、植栽された蔓植物を的確に面状に案内し、塀、壁、擁壁等の構造物の表面、棒や管等の長尺体の表面を覆ったり、生け垣上等にある空間を塞ぐように、面状に緑化をすることができる。
【００１５】
また、前記構成に係る面状案内体において、前記網状体が、直径が３ｍｍ以下の線材よりなることを特徴とする蔓植物の面状案内体にあっては、前記特長に併せて、当該網状体が太陽光によって蓄熱したり、高温化することがない。
【００１６】
また、前記構成に係る面状案内体において、前記網状体を、塀、壁、擁壁等の構造物の側面に沿って、当該構造物の側面との間に、少なくとも、蔓植物の通過隙間を備えるように設けてあることを特徴とする蔓植物の面状案内体にあっては、当該塀、壁、擁壁等の構造物の側面に沿って、当該構造物を蔓植物で満遍なく覆うように緑化することができる。
【００１７】
また、前記構成に係る面状案内体において、前記網状体を、生け垣の上方に、当該生け垣に連続するように設けてあることを特徴とする蔓植物の面状案内体にあっては、前記特長に併せて、生け垣上に生ずる空間の遮蔽により、目隠し効果を有する生け垣を構成することができる。
【００１８】
また、前記構成に係る面状案内体において、前記網状体を、棒、管等の起立長尺体を囲繞するように設けてあることを特徴とする蔓植物の面状案内体にあっては、前記特長に併せて、周面を蔓植物によって覆われた起立長尺体を構成することができる。
【発明の効果】
【００１９】
この発明に係る蔓植物の面状案内体は、蔓植物を、塀、壁、擁壁等の構造物の面や、棒や管等の長尺体の面を覆うように都合よく案内して面状に緑化し、生け垣上等にある空間を塞ぐように都合よく案内して面状に緑化することができる。
【発明を実施するための最良の形態】
【００２０】
以下、図１〜図７にもとづいて、この発明を実施するための最良の形態に係る蔓植物Ｂの面状案内体Ａについて説明する。
【００２１】
なお、ここで図１は当該発明を実施するための最良の形態に係る蔓植物Ｂの面状案内体Ａを構成する典型的な網状体Ａａの要部を正面から見て、図２は、他の網状体Ａａを正面から見て、図３は、更に、他の網状体Ａａを正面から見て示しており、図４は、当該発明を実施するための最良の形態に係る典型的な蔓植物Ｂの面状案内体Ａの適用例を斜め上方から見て、図５は、その要部を拡大断面の状態で側方から見て、図６は、他の適用例を正面側から見て、図７は、その要部を縦向きに断面して側方から見て示してる。
【００２２】
この発明を実施するための最良の形態に係る蔓植物Ｂの面状案内体Ａは、蔓植物Ｂを面状に案内する網状体Ａａを備えており、かつ、この網状体Ａａが、網目寸法を１０ｃｍ〜３０ｃｍとしてある。
【００２３】
なお、ここで蔓植物Ｂは、適宜の支承体によって上方に茎を伸ばす植物であれば、いかなる蔓植物Ｂであってもよく、同種又は複数種の草本であっても、同種又は複数種の木本であっても、さらに、これらの混在する形態であってもよい。また、同種又は複数種の常緑木であっても、同種又は複数種の落葉木であっても、さらに、これらの混在する形態であってもよい。
【００２４】
また、この蔓植物Ｂを案内する網状体Ａａは、網目寸法が１０ｃｍ〜３０ｃｍであれば、平織金網、綾織金網、クリンプ金網、亀甲金網、菱形金網、溶接金網等、いかなる形態の金網であってもよく、また、いかなる素材によって構成してあってもよい。
【００２５】
かかる面状案内体Ａは、網状体単体によって構成してあっても、また、網状体を各種形状をなすフレーム内に張設したり、各種補強手段を備えさせる等、他の適宜の素材と組み合わせて構成してあっても良い。
【００２６】
このように構成される面状案内体Ａは、植栽された蔓植物Ｂを的確に面状に案内し、塀、壁、擁壁等の構造物Ｃの表面、棒や管等の長尺体Ｄの表面を覆ったり、生け垣Ｆ上等にある空間を塞ぐように、面状に緑化をすることができる。
【００２７】
また、前記網状体Ａａを、直径が３ｍｍ以下の線材Ａａ’で構成した蔓植物Ｂの面状案内体Ａでは、当該網状体Ａａが太陽光によって蓄熱したり、高温化することがない。
【００２８】
また、前記網状体Ａａを、塀、壁、擁壁等の構造物Ｃの側面に沿って、当該構造物Ｃの側面との間に、少なくとも、蔓植物Ｂの通過隙間Ｅを備えるように設けた蔓植物Ｂの面状案内体Ａでは、当該塀、壁、擁壁等の構造物Ｃの側面に沿って、当該構造物Ｃを蔓植物Ｂで満遍なく覆うように緑化することができる。
【００２９】
また、前記網状体Ａａを、生け垣Ｆの上方に、当該生け垣Ｆに連続するように設けた蔓植物Ｂの面状案内体Ａでは、生け垣Ｆ上に生ずる空間の遮蔽により、目隠し効果を併せ有する生け垣Ｆを構成することができる。
【００３０】
また、前記網状体Ａａを、棒、管等の起立長尺体Ｄを囲繞するように設けた蔓植物Ｂの面状案内体Ａでは、起立長尺体Ｄの周面を蔓植物Ｂによって確実に覆って、緑化することができる。
【００３１】
ついで、図示例に係る蔓植物Ｂの面状案内体Ａを具体的に説明する。
【００３２】
この図示例に係る蔓植物Ｂの面状案内体Ａは、蔓植物Ｂを面状に案内する網状体Ａａを備えており、かつ、この網状体Ａａが、網目寸法を１０ｃｍ〜３０ｃｍとして構成してある。
【００３３】
この図示例に係る蔓植物Ｂの面状案内体Ａを構成する網状体Ａａは、網目寸法を、当該蔓植物Ｂが確実に、そのつる先を網状体Ａａを構成する線材Ａａ’に巻き付けうるように、１０ｃｍ〜３０ｃｍの網状体Ａａとしてあり、また、当該網状体Ａａを構成する線材Ａａ’の直径を、３ｍｍ以下の網状体Ａａとして、太陽の照射に伴う蓄熱を防ぎ、かつ、高温化を防ぐようにしてある。また、さらに好ましい面状案内体Ａとして、網目寸法を１５ｃｍ〜２０ｃｍとし、かつ、網状体Ａａを構成する線材Ａａ’の直径を３ｍｍ以下の網状体Ａａとすることで、より確実に、つる先を当該線材Ａａ’に巻き付けうる面状案内体Ａとすることができる。かかる網状体Ａａは、例えば、図１の、平織金網、図２の、溶接金網、図３の、菱形金網等、いかなる形態の網状体であっても良く、それぞれに目的とされる緑化対象物に適応しうる形状、面積を備えるように用意される。かかる網状体Ａａは、長尺の網状体を巻き込み状態で用意し、必要分、繰り出して、構造物Ｃ面を覆うように用いるようにしてあっても、また、例えば、所定形状、寸法の網状パネルとして用意し、この網状パネルとして用意された各網状パネルをもって、所定範囲の面を覆うように、単独で、又は、順次に、連結して蔓植物Ｂの面状案内面を構成するようにしてあってもよい。
【００３４】
この図示例に係る網状体Ａａは、当該網状体Ａａの設置対象箇所や、設置目的、耐用期間等を総合的に勘案して各種素材、例えば、ステンレスステール材、鋼材、アルミ材、プラスチック材等の適宜の素材によって構成用意される。
【００３５】
このように用意される網状体Ａａは、これを、塀、壁、擁壁等の構造物Ｃの表面、棒や管等の長尺体Ｄの表面を覆ったり、生け垣Ｆの上等の、いわゆる空間を塞ぐように、面状に緑化をする手段として、適宜の支承手段と併せて設置用いられる。
【００３６】
図４及び図５では、かかる網状体Ａａを構造物Ｃに面に対して、当該植栽される蔓植物Ｂの通過隙間Ｅを当該面との間に備えるように設け、これに、目的とする各種の蔓植物Ｂを伝わらせて、面状に覆おうようにしてある。この図示例に係る面状案内体Ａでは矩形の枠材Ａｂ内に網状体Ａａを張設けてパネル状に構成してあり、その要所を支持具Ａｃで、構造物Ｃとの間に、当該蔓植物Ｂの通過隙間Ｅを生ずるように、当該構造物Ｃ面に添装状態に設置してある。
【００３７】
この図４及び図５では、当該構造物Ｃを、例えば、各種の塀、各種建築物における壁、各種建築部における腰壁、各種の擁壁下部部分として構成してある。かかる構造物Ｃは、例えば、コンクリートの打設面、積み込み石面、積み込みレンガ面。タイル面、仕上げモルタル面等が露呈されており、景観上に難点があった。
【００３８】
また、かかる構造物Ｃは、その構成素材との関係から、照射太陽光によって蓄熱し易く、また、当該照射太陽光を景観を損なうように反射する場合があった。
【００３９】
かかる構造物Ｃ面を、蔓植物Ｂによって覆うことによって、構造物Ｃにおける照射太陽光による蓄熱を極力避けることができ、また、照射太陽光が蔓植物Ｂ面で反射されることから、柔らかな反射光を構造物Ｃにもたらすことができる。
【００４０】
この、図示例に係る面状案内体Ａは、網状体Ａａを張設しうる枠材Ａｂよりなる横長状の枠内に、線径が３ｍｍ以下の網状体Ａａを張設して構成してあり、この長尺状の面状案内体Ａを、住宅等の構造物Ｃの下端部面に平行をなし、かつ、その長手方向に長くなるように、当該構造物Ｃの面との間に蔓植物Ｂの通過隙間Ｅを生ずるように適宜の支持具Ａｃで、取り付けてあり、当該構造物Ｃの下部側の腰壁に相当する部分を蔓植物Ｂで覆うようにしてある。
【００４１】
かかる面状案内体Ａを構造物Ｃの面から所定間隔離した状態に備え付ける支持具Ａｃは、この面状案内体Ａを構成する網状体Ａａを当該構造物Ｃの面との間に所定の蔓植物Ｂの通過隙間Ｅを備えるように設け得るものであれば、いかなる支持具Ａｃであってもよく、この図示例にあっては、要所に、Ｌ字状側面をなす支持板１０における垂直板部１０ａを構造物Ｃにビス等の止着具１４で止めつけてあり、この支持板１０における水平板部１０ｂの先端の上下面に、枠材Ａｂを巻き込んだ湾曲バンド１１の上下のバンド端をそれぞれ添装し、これをボルト、ナット等の締着具１２で水平板部１０ｂに固着して、面状案内体Ａを構造物Ｃに固定する。なお、かかる湾曲バンド１１による面状案内体Ａの取り付けは、枠材Ａｂ以外の部分、例えば、網状体Ａａを構成する線材Ａａ’を当該支持具Ａｃで支持するように当該線材Ａａ’を湾曲バンド１１で前記支持板１０に取り付けるようにしてあってもよい。
【００４２】
このように構成される面状案内体Ａを利用して蔓植物Ｂを構造物Ｃの側面に沿って、当該側面を満遍なく覆うように植栽、案内して、所期の緑化をなすようにしてある。
【００４３】
なお、この図示例にあっては、構造物Ｃに対して当該構造物Ｃの面から所定間隔を離すように備え設けた面状案内体Ａの下方に、所定間隔毎に、蔓植物Ｂの植栽培土を用意し、これに蔓植物Ｂを植栽し、この植栽蔓植物Ｂを前記面状案内体Ａの全面を覆うように満遍なく案内して、当該構造物Ｃ面を蔓植物Ｂで緑化するようにしてある。
【００４４】
なお、この図示例では、蔓植物Ｂを植栽する培土を舗装路面に穿った穴に充填して設けてあるが、植栽面を舗装せずに、非舗装路面として、直接地面に植栽するようにしたあっても、また、プランター等の適宜の植栽容器に植栽して面状案内体Ａに蔓植物Ｂを案内するようにしてあってもよい。
【００４５】
また、構造物Ｃの、さらに高い位置、例えば、軒下や、当該構造物Ｃ全体を覆うように当該蔓植物Ｂで覆うように面状案内体Ａを設けるようにしてあってもよい。また、前記枠材Ａｂを設けることなく、直接、網状体Ａａを適宜の支持具で構造物Ｃに組み付けながら、当該構造物Ｃの側方に当該網状体Ａａを張設するようにしてあってもよい。
【００４６】
ついで、図６及び図７に示される蔓植物Ｂの案内体は、いわゆる生け垣Ｆ上にある空間を塞ぐように当該面状案内体Ａを設けたものであって、生け垣Ｆと相俟って、目隠し効果をもたらすことができる。
【００４７】
かかる空間を仕切る手段として蔓植物Ｂを用いる場合、この空間に起立状態に前記網状体Ａａを設けると共に、この空間に備えられる網状体Ａａに蔓植物Ｂを案内する棒、管等の起立長尺体Ｄを別段に用意する。
【００４８】
この図示例にあっては、生け垣Ｆ間に適宜、起立長尺体Ｄをなす支柱を起立用意し、この起立されている起立長尺体Ｄとしての各支柱間に、前記網状体Ａａを張り込み、これを、湾曲板状バンド１３で当該起立長尺体Ｄに止着し、蔓植物Ｂの面状案内体Ａとして構成すると共に、この起立長尺体Ｄをなす支柱を囲繞するように前記網状体Ａａを筒状にして当該起立長尺体Ｄとしての支柱を巡るように配置し、この網状体Ａａを備えて構成される面状案内体Ａで案内される蔓植物Ｂを前記起立長尺体としての支柱間に張設してある面状案内体Ａにおける網状体Ａａに案内して、この生け垣Ｆ上にある空間を当該蔓植物Ｂによって遮蔽するようにしてある。なを、この起立長尺体Ｄと各枠材Ａｂを内側に入れ込んだ湾曲板状バンド１３を、当該湾曲端部に外向きに屈曲して突設してある各突設板部１３ａ、１３ａ相互に密着するようにボルト、ナット等の締着具１３ｂで締め付けることで、枠材Ａｂと起立長尺体Ｄとを一体的に締め付け状態にして固着する。
【００４９】
また、かかる生け垣Ｆ上に設けられる面状案内体Ａを、枠材Ａｂ内に網状体Ａａを張り込んで、いわゆるパネル状に構成し、これを、前記と同様にして、生け垣Ｆ間に適宜起立用意されている起立長尺体Ｄとしての各支柱間に備え付けることで、蔓植物Ｂの面状案内体Ａを構成すると共に、前記網状体Ａａで構成用意した筒状体を当該起立長尺体Ｄとしての支柱の周面を、当該周面と網状体Ａａとの間に蔓植物Ｂの通過隙間Ｅを生ずるように覆った構成としてあってもよい。
【００５０】
このように構成される面状案内体Ａは、起立長尺体Ｄとしての支柱の回りに備えられている面状案内体Ａによって、生け垣Ｆと同一の地面に植栽されている蔓植物Ｂを、起立長尺体Ｄとしての支柱の上方間に張設されている面状案内体Ａを構成する網状体Ａａに確実に案内し、この網状体Ａａを満遍なく覆って、都合の良い目隠し機能をはたす。
【００５１】
なお、前記生け垣Ｆ上の空間を遮蔽する面状案内体Ａは、当該生け垣Ｆの上以外の任意の空間を遮蔽する手段として用いることができ、同様にして、当該遮蔽空間に目隠し効果をもたらしうるものであって、空間を、適宜、区分して活用することができる。なお、かかる面状案内体Ａによる空間の遮蔽は、必要とする高さまで一律に遮蔽するようにしてあっても、また、その一部分のみを遮蔽するようにしてあってもよい。
【００５２】
また、前記起立長尺体Ｄの周面を覆うように備えられる、ほぼ筒状の面状案内体Ａは、屋外に設置されている各種の起立長尺体Ｄ、例えば、前記面状案内体Ａを張設する支柱はもとより、雨樋における竪樋部分、各種配管類、各種架線等の支柱などの棒、管類の周面を覆って、当該起立長尺体Ｄに、例えば、前記支持具Ａｃに相当する支持手段で組み付けて、これらを都合よく緑化することができる。
【図面の簡単な説明】
【００５３】
【図１】典型的な面状案内体を構成する網状体の要部正面図
【図２】他の網状体の要部正面図
【図３】更に他の網状体の要部正面図
【図４】典型的な面状案内体を備えた構造物の要部斜視図
【図５】同要部縦断面図
【図６】典型的な面状案内体を上方に備えた生け垣の要部正面図
【図５】同要部縦断面図
【符号の説明】
【００５４】
Ａ  面状案内体
Ａａ  網状体
Ａａ’  線材
Ｂ  蔓植物
【図１】
2008211983.tif 000003
【図２】
2008211983.tif 000004
【図３】
2008211983.tif 000005
【図４】
2008211983.tif 000006
【図５】
2008211983.tif 000007
【図６】
2008211983.tif 000008
【図７】
2008211983.tif 000009
【手続補正書】
【提出日】平成19年3月16日(2007.3.16)
【手続補正１】
【補正対象書類名】明細書
【補正対象項目名】００５３
【補正方法】変更
【補正の内容】
【００５３】
【図１】典型的な面状案内体を構成する網状体の要部正面図
【図２】他の網状体の要部正面図
【図３】更に他の網状体の要部正面図
【図４】典型的な面状案内体を備えた構造物の要部斜視図
【図５】同要部縦断面図
【図６】典型的な面状案内体を上方に備えた生け垣の要部正面図
【図７】同要部縦断面図